(57)【特許請求の範囲】
【請求項１】
第１の支柱を用いてデスク上に取り付けられるベースパネルと、このベースパネル上に第２の支柱を用いて積み重ねられる１又は複数のスタックオンパネルとを具備してなるものであって、
前記ベースパネル及び前記スタックオンパネルが、上下に連通する第１の空洞及び第２の空洞を備えた同一平断面形状を有する縦枠材をそれぞれその両側部に備えたものであり、前記ベースパネルの第１の空洞に前記第１の支柱を挿入するとともに、前記ベースパネルの第２の空洞と前記スタックオンパネルの第２の空洞とに前記第２の支柱を挿入することを特徴とするデスクトップパネルシステム。
【請求項２】
前記ベースパネルと、前記スタックオンパネルとが、高さ寸法以外略同一の構造をなすものである請求項１記載のデスクトップパネルシステム。
【請求項３】
前記縦枠材が、周壁と、この周壁の内部を前記第１の空洞と前記第２の空洞とに区画する隔壁とを有し、前記隔壁にねじ穴形成用筒状部を形成してなるものである請求項１又は２記載のデスクトップパネルシステム。
【請求項４】
前記ベースパネル及び前記スタックオンパネルが、左右の縦枠材と、これら縦枠材間に配された上枠材及び下枠材と、これら縦枠材、上枠材、下枠材に囲まれた空間に配された芯材と、前記縦枠材、上枠材、下枠材の両面に添接された面板とをそれぞれ具備する請求項１、２又は３記載のデスクトップパネルシステム。
【請求項５】
前記ベースパネル及びスタックオンパネルが、オプション部材を取り付けるためのオプション取付溝を有する笠木をそれぞれ備えている請求項１、２、３又は４記載のデスクトップパネルシステム。
【請求項６】
前記オプション部材が、ベースパネルのオプション取付溝とスタックオンパネルのオプション取付溝とにそれぞれ取り付けられるものである請求項５記載のデスクトップパネルシステム。
【請求項７】
前記ベースパネル及びスタックオンパネルが、縦枠材の上端面を覆う開閉可能なキャップを備えたものであり、前記キャップには、前記縦枠材の第２の空洞に連通する孔が設けられている請求項１、２、３、４、５又は６記載のデスクトップパネルシステム。
【発明の詳細な説明】
【技術分野】
【０００１】
本発明は、机に取り付けて使用するデスクトップパネルシステムに関する。
【背景技術】
【０００２】
従来より、机に取り付けて使用するデスクトップパネルシステムとして、種々のものが知られている。このようなデスクトップパネルシステムの一例として、デスク上に取り付けられるベースパネルと、このベースパネル上に積み重ねられる１又は複数のスタックオンパネルとを具備するものが挙げられる（例えば、特許文献１を参照）。
【０００３】
この種のデスクトップパネルシステムにおいて、特許文献１記載のものは、そのスタックオンパネルの下部にパネル挟持装置を設け、このパネル挟持装置によりベースパネルを挟持することによりベースパネル上方にスタックオンパネルを配置するようにしている。
【０００４】
しかし、このような構成ではベースパネルとスタックオンパネルとを積み重ねた際に、パネル挟持装置が外部に露出し、また、スタックオンパネルとベースパネルとが面一でないことから、外観が統一感に欠けると感じられる不具合が存在する。
【先行技術文献】
【特許文献】
【０００５】
【特許文献１】特開２００２−１９５２２４号公報
【発明の概要】
【発明が解決しようとする課題】
【０００６】
本発明は以上の点に着目し、ベースパネル上にスタックオンパネルを積み重ねることが可能なデスクトップパネルシステムを、外観上の不統一や構成部材の種類のいたずらな増加を招くことなく実現することを所期の目的とする。
【課題を解決するための手段】
【０００７】
すなわち本発明のデスクトップパネルシステムは、第１の支柱を用いてデスク上に取り付けられるベースパネルと、このベースパネル上に第２の支柱を用いて積み重ねられる１又は複数のスタックオンパネルとを具備してなるものであって、前記ベースパネル及び前記スタックオンパネルが、上下に連通する第１の空洞及び第２の空洞を備えた同一平断面形状を有する縦枠材をそれぞれその両側部に備えたものであり、前記ベースパネルの第１の空洞に前記第１の支柱を挿入するとともに、前記ベースパネルの第２の空洞と前記スタックオンパネルの第２の空洞とに前記第２の支柱を挿入することを特徴とする。
【０００８】
このようなものであれば、ベースパネルとスタックオンパネルとを積み重ねた際に、同一平断面形状を有する縦枠材が鉛直方向に重なり合うので、外観の統一感の実現、及び構成部材や部品の共通化を容易に図ることができる。
【０００９】
統一感のある外観を具体的に実現するためには、前記ベースパネルと、前記スタックオンパネルとが、高さ寸法以外略同一の構造をなすものが望ましい。また、このようなものであれば、さらなる部品や構成部材の共通化を図ることもできる。
【００１０】
前記縦枠材が、周壁と、この周壁の内部を前記第１の空洞と前記第２の空洞とに区画する隔壁とを有し、前記隔壁にねじ穴形成用筒状部を形成してなるものであれば、ねじ穴形成用筒状部に形成したねじ穴を利用して、第２の支柱や、隣接するパネル同士を連結する連結部材等を取り付けることができる。
【００１１】
前記ベースパネル及び前記スタックオンパネルの具体的な構成の一例として、前記ベースパネル及び前記スタックオンパネルが、左右の縦枠材と、これら縦枠材間に配された上枠材及び下枠材と、これら縦枠材、上枠材、下枠材に囲まれた空間に配された芯材と、前記縦枠材、上枠材、下枠材の両面に添接された面板とをそれぞれ具備するものが挙げられる。
【００１２】
前記ベースパネル及びスタックオンパネルが、オプション部材を取り付けるためのオプション取付溝を有する笠木をそれぞれ備えているものであれば、笠木の溝が上下に平行に配置されるので、この点からも統一感のある外観を提供できる。
【００１３】
特に、前記オプション部材が、ベースパネルのオプション取付溝とスタックオンパネルのオプション取付溝とにそれぞれ取り付けられるものであれば、スタックオンパネルをスタックすることにより形成された上下の取付溝を利用して、スタックオンパネルの前方又は後方にオプション部材を安定して取り付けることができる。
【００１４】
前記ベースパネル及びスタックオンパネルが、縦枠材の上端面を覆う開閉可能なキャップを備えたものであり、前記キャップには、前記縦枠材の第２の空洞に連通する孔が設けられているものであれば、前記キャップを閉じた状態でも該キャップの孔に第２の支柱を挿し通して、ベースパネル又はスタックオンパネルの上方にスタックオンパネルをさらに積み重ねることができる。
【発明の効果】
【００１５】
本発明によれば、ベースパネル上にスタックオンパネルを積み重ねることが可能なデスクトップパネルシステムを、外観上の不統一や構成部材の種類のいたずらな増加を招くことなく実現することができる。
【図面の簡単な説明】
【００１６】
【図１】本発明の一実施形態に係るデスクトップパネルシステムを設けた机を示す図。
【図２】同実施形態に係るデスクトップパネルを示す分解斜視図。
【図３】同実施形態に係るデスクトップパネルの要部を示す斜視図。
【図４】同実施形態に係るデスクトップパネルの要部を示す正断面図。
【図５】図４における要部を拡大して示す図。
【図６】図４におけるａ−ａ断面図。
【図７】図４におけるｂ−ｂ断面図。
【図８】図４におけるｃ−ｃ断面図。
【図９】同実施形態に係るデスクトップパネルの縦枠材を示す斜視図。
【発明を実施するための形態】
【００１７】
以下、本発明の一実施形態を、図１〜図９を参照して説明する。
【００１８】
本実施形態は、図１及び図２に示すように、デスクＤに、本発明のデスクトップパネルシステムＰを取り付けてなるものである。
【００１９】
本実施形態のデスクＤは、図１及び図２に示すように、天板Ｄ１と、天板Ｄ１を支持する脚体Ｄ２とを具備する。天板Ｄ１の反使用端縁の左右両端部には、デスクトップパネルシステムＰを取り付けるためのオプション取付孔Ｄ３ａを備えたコーナー部材Ｄ３が着脱可能に設けられている。
【００２０】
デスクトップパネルシステムＰは、図２及び図４に示すように、ベースパネル１と、このベースパネル１をデスクＤに取り付けるための第１の支柱たる取付用支柱２と、このベースパネル１上に配してなる１又は複数のスタックオンパネル３と、このスタックオンパネル３とベースパネル１との接続、又はスタックオンパネル３同士の接続を行うための第２の支柱たるスタック用支柱４とを具備する。
【００２１】
ベースパネル１は、図４及び図６に示すように、両側部に配してなる左右の縦枠材１１と、これら縦枠材１１の下端部間に配された下枠材１２と、前記縦枠材１１の上端部間に配された上枠材１３と、この上枠材１３の上方に取り付けてなる笠木１４と、前記縦枠材１１、下枠材１２、及び上枠材１３に囲まれた空間に配された芯材たるハニカムコア１５と、前記縦枠材１１、下枠材１２、上枠材１３の両面に添接された面板１６と、前記縦枠材１１の上端面を覆う開閉可能なキャップ１７とを具備する。
【００２２】
前記縦枠材１１は、図４、図６、及び図９に示すように、周壁１１１と、この周壁１１１の内部を第１の空洞１１ａと第２の空洞１１ｂとに区画する隔壁１１２とを具備し、高さ寸法の全域にわたって同一平断面形状を有する。この縦枠材１１は、例えばアルミ押出し成形により形成される。前記第１の空洞１１ａは、前記第２の空洞１１ｂよりもベースパネル１の側端寄りに配されている。前記第１の空洞１１ａ内には、取付用支柱２の上端面に衝き当たることにより取付用支柱２との上下方向の相対的な位置決めを行うためのストッパ１１３が設けられている。また、前記周壁１１１の第２の空洞１１ｂに向かう面からは、スタック用支柱４の巾方向への移動を規制するための位置決め突起１１４が内方に突出した状態で設けられている。さらに、前記隔壁１１２にはねじ穴形成用筒状部１１５が形成されている。このねじ穴形成用筒状部１１５の上下両端部の内面には雌ねじ１１５ａが形成されている。
【００２３】
前記下枠材１２は、例えばアルミ押出し成形により形成している。この下枠材１２は、図４及び図８に示すように、長手寸法の全域にわたって同一側断面形状を有する。
【００２４】
前記上枠材１３は、図４及び図８に示すように、前記左右の縦枠材１１の上端間の略全域にわたって延びる部材で、本実施形態では木材を使用して形成される。この上枠材１３も、長手寸法の全域にわたって同一側断面形状を有する。また、この上枠材１３の上面には、笠木１４を取り付けるための巾方向に延伸する笠木取付溝１３ａが設けられている。
【００２５】
前記笠木１４は、図４及び図７に示すように、巾方向に延伸し長手寸法の全域にわたって同一側断面形状を有する。この笠木１４は、奥行き方向中央に位置し前後方向をそれぞれ向く面を有する板状の笠木本体１４１と、この笠木本体１４１の上端から前後両側にそれぞれ突出する上突条１４２と、前記笠木本体１４１の下部からの前後両側にそれぞれ突出する下突条１４３と、前記笠木本体１４１の下端から下方に突出し上枠材１３の笠木取付溝１３ａに挿入可能な取付突起１４４とを有する。前記取付突起１４４は、前後方向に突出する抜け止め部を有する。この抜け止め部は、笠木１４が前記上枠材１３に圧入された際に上枠材１３の笠木取付溝１３ａに食い込み、笠木１４の上枠材１３からの抜け止めを阻止する。また、本実施形態では、前後両面の前記笠木本体１４１、前記上突条１４２及び前記下突条１４３により区画される領域は、オプション部材を取り付けるためのオプション取付溝１４ａである。
【００２６】
前記面板１６は、本実施形態では前後一対に設けている。この面板１６は、図４及び図６に示すように、前記縦枠材１１、上枠材１３及び下枠材１２の前面又は後面に添接する板材１６１と、この板材１６１を被覆する面板本体１６２とを具備する。この面板本体１６２は、板材１６１の前面又は後面を被覆する面板部１６２ａと、前記縦枠材１１の外側面に添接する側切り起こし部１６２ｂと、上枠材１３の上面に添接する上切り起こし部１６２ｃと、下枠材１２の下面に添接する下切り起こし部１６２ｄとを有する。本実施形態では、板材１６１に、前記縦枠材１１、上枠材１３、下枠材１２及びハニカムコア１５を接着剤等を用いて接着し、面板本体１６２を板材１６１に接着剤等を用いて接着することによりベースパネル１が形成される。前記上切り起こし部１６２ｃ及び下切り起こし部１６２ｄの左右両端部には、縦枠材１１の上方及び下方の空間を開放するべく切り欠き１６２ｃ１、１６２ｄ１が設けられている。側切り起こし部１６２ｂ同士及び下切り起こし部１６２ｄ同士はわずかな隙間を介して対向している。一方、上切り起こし部１６２ｃ間には、上枠材１３の笠木取付溝１３ａを上方空間に露出させるべくこの笠木取付溝１３ａの幅と同一又はそれ以上の幅の開口が設けられている。
【００２７】
前記キャップ１７は、前記面板１６の上切り起こし部１６２ｃの切り欠き部１６２ｃ１及び縦枠材１１の上端面を覆うものである。具体的には、図３、図４及び図５に示すように、このキャップ１７は、前記縦枠材１１の上端に取り付けてなる下キャップ要素１７１と、この下キャップ要素１７１の内側端部に設けた回転軸１７１ｘを中心に開放位置と閉止位置との間で移動可能な上キャップ要素１７２とを具備する。下キャップ要素１７１は、前記縦枠材１１の第１の空洞１１ａに連通する第１連通孔１７１ａと、前記縦枠材１１の第２の空洞１１ｂに連通する第２連通孔１７１ｂと、この下キャップ要素１７１を前記縦枠材１１の上端に取り付けるための雄ねじ部材を通過させることが可能なねじ挿通孔１７１ｃとを有する。一方、上キャップ要素１７２は、前記縦枠材１１の第２の空洞１１ｂに連通する縦枠材挿通孔１７２ａと、この縦枠材挿通孔１７２ａを開閉すべく設けられ回転軸１７２ｘを中心に回転移動可能な蓋１７２ｂとを有する。そして、これら下キャップ要素１７１の外側端と上キャップ要素１７２の外側端との間には、後述するコネクタ部材５を通過させることが可能なコネクタ挿通孔１７ａが設けられている。
【００２８】
取付用支柱２は、図２、図４、図５及び図６に示すように、上部をベースパネル１の縦枠材１１の第１の空洞１１ａに挿入してなるとともに、下部をデスクＤの天板Ｄ１の反使用端縁に設けたパネル取付孔に挿入することにより、ベースパネル１と天板Ｄ１とを接続するものである。この取付用支柱２の高さ方向中間部には、前記縦枠材１１の前後の周壁１１１との間の隙間をなくすべく、スペーサ部材２１が設けられている。そして、この取付用支柱２の上端が第１の空洞１１ａ内のストッパ１１３の下面に衝き当たることにより、この取付用支柱２とベースパネル１との間の位置決めが行われる。ここで、本実施形態では、デスクＤの反使用端側にデスクＤと同一の構成を有する他のデスクＤの反使用端を突き合わせて利用する際に、ベースパネル１の奥行き方向中央の位置をこれら２つのデスクＤの反使用端に一致させるようにし、これら２つのデスクＤの双方からのベースパネル１及びスタックオンパネル３の利用の便を図るべく、取付用支柱２の前記第１の空洞１１ａ内に挿入される部位が、デスクＤに取り付けられる部位よりも後方に位置付けられている。
【００２９】
スタックオンパネル３は、上述したベースパネル１と略同一の構造を有する。すなわち、図４及び図７に示すように、両側部に配してなる左右の縦枠材３１と、これら縦枠材３１の下端部間に配された下枠材３２と、前記縦枠材３１の上端部間に配された上枠材３３と、この上枠材３３の上方に取り付けてなる笠木３４と、前記縦枠材３１、下枠材３２、及び上枠材３３に囲まれた空間に配された芯材たるハニカムコア３５と、前記縦枠材３１、下枠材３２、及び上枠材３３の両面に添接された面板３６と、前記縦枠材３１の上端面を覆う開閉可能なキャップ３７とをそれぞれ具備する。左右の縦枠材３１、ハニカムコア３５及び面板３６は、高さ寸法が異なる以外上述したベースパネル１におけるものと同一の構造を有する。下枠材３２、上枠材３３及び笠木３４は、上述したベースパネル１におけるものと全く同一の構造を有する。以下、このスタックオンパネル３の各部位には、上述したベースパネル１におけるものと同一の名称、及び上１桁目の１を３に変えた符号を付して説明する。
【００３０】
縦枠材３１の第１の空洞３１ａ内には、図４に示すように、巾方向に隣接するスタックオンパネル３と接続する際に用いるコネクタ部材５が収納可能である。
【００３１】
スタック用支柱４は、図２、図４、図５及び図７に示すように、上部をスタックオンパネル３の縦枠材３１の第２の空洞３１ｂに下方から挿入可能であるとともに下部をベースパネル１又は他のスタックオンパネル３の縦枠材１１（３１）の第２の空洞１１ｂ（３１ｂ）に上方から挿入可能な支柱本体４１と、この支柱本体４１の高さ方向中間部に設けてなりスタックオンパネル３の縦枠材３１の下面に添接可能な取付板材４２とを備えている。前記支柱本体４１は平断面視コ字状をなし、上部に前記取付板材４２と係り合わせるための切り欠き４１ａ及び位置決め孔４１ｂが設けられている。前記取付板材４２には、雄ねじ部材を通過させることが可能なねじ挿通孔４２ａが一端側に設けられている。また、この取付板材４２は、他端側を奥行き寸法を縮小して形成した挿入部４２ｂとし、この挿入部４２ｂを支柱本体４１内に挿入するようにしている。さらに、この挿入部４２ｂの先端側には支柱本体４１の位置決め孔４１ｂに挿入可能な位置決め突起４２ｃが設けられている。そして、この位置決め突起４２ｃを位置決め孔４１ｂに挿入し、取付板材４２を支柱本体４１の切り欠き４１ａに挿入した状態で、取付板材４２が支柱本体４１に溶接等の方法により固定される。このスタック用支柱４は、ねじ挿通孔４２ａを通過させた雄ねじ部材を縦枠材１１のねじ穴形成用筒状部１１５に形成した雌ねじ１１５ａに螺着することにより、スタックオンパネル３に着脱可能に取り付けられる。
【００３２】
ここで、本実施形態のデスクトップパネルシステムＰのデスクＤへの取り付けは、以下のようにして行う。
【００３３】
まず、取付用支柱２の上部をベースパネル１の縦枠材１１の第１の空洞１１ａに挿入し、該取付用支柱２をベースパネル１に固定する。それから、取付用支柱２の下部にカバー部材６を取り付け、取付用支柱２をデスクＤの天板Ｄ１に予め形成したオプション取付孔Ｄ３ａに挿入することにより、ベースパネル１を天板Ｄ１に取り付ける。
【００３４】
それから、スタック用支柱４の上部をスタックオンパネル３の第２の空洞１１ｂに挿入し、このスタック用支柱４をスタックオンパネル３に固定する。そして、スタック用支柱４の下部をベースパネル１の縦枠材１１の第２の空洞１１ｂに挿入することにより、スタックオンパネル３とベースパネル１とを連結する。
【００３５】
さらに、第２のスタックオンパネル３を上方に連結する際には、第２のスタック用支柱４の上部を第２のスタックオンパネル３の第２の空洞１１ｂに挿入し、第２のスタック用支柱４を第２のスタックオンパネル３に固定する。そして、第２のスタック用支柱４の下部を、先にベールパネル１の上方に連結したスタックオンパネル３の縦枠材１１の第２の空洞１１ｂに挿入する。
【００３６】
加えて、本実施形態では、コネクタ部材５を介して巾方向に隣接するスタックオンパネル３同士を連結可能である。このコネクタ部材５は、前記キャップ３７を開放した状態でその左右両端部を縦枠材３１の上端部に挿入させた後、前記キャップ３７を閉じると幅方向中央部が前記キャップのコネクタ挿通孔３７ａを通過した状態となる。
【００３７】
以上に述べたように、本実施形態のデスクトップパネルシステムＰの構成によれば、以下の効果が得られる。すなわち、ベースパネル１とスタックオンパネル３とを積み重ねた際に、同一平断面形状を有する縦枠材１１、３１が鉛直方向に重なり合うので、外観の統一感の実現、及び構成部材や部品の共通化を容易に図ることができる。また、本実施形態では、ベースパネル１とスタックオンパネル３との接続構造と、スタックオンパネル３同士の接続構造とが共通であるので、構造の複雑化を招くことなく複数のスタックオンパネル３を積むことができる。
【００３８】
前記ベースパネル１と、前記スタックオンパネル３とが、高さ寸法以外略同一の構造をなすので、統一感のある外観を具体的に実現することができ、また、さらなる部品や構成部材の共通化を図ることができる。
【００３９】
前記縦枠材１１、３１が、周壁１１１、３１１と、この周壁１１１、３１１の内部を前記第１の空洞１１ａ，３１ａと前記第２の空洞１１ｂ、３１ｂとに区画する隔壁１１２、３１２とを有し、前記隔壁１１２、３１２にねじ穴形成用筒状部１１５、３１５を形成してなるものであれば、ねじ穴形成用筒状部１１５、３１５に形成した雌ねじ穴１１５ａ、３１５ａを利用して、スタック用支柱４や、隣接するスタックオンパネル３同士を連結するコネクタ部材５等を取り付けることができる。
【００４０】
前記ベースパネル１が、左右の縦枠材１１と、これら縦枠材１１間に配された上枠材１３及び下枠材１２と、これら縦枠材１１、上枠材１３、及び下枠材１２に囲まれた空間に配されたハニカムコア１５と、前記縦枠材１１、上枠材１３、及び下枠材１２の両面に添接された面板１６とをそれぞれ具備するとともに、前記スタックオンパネル３が、左右の縦枠材３１と、これら縦枠材３１間に配された上枠材３３及び下枠材３２と、これら縦枠材３１、上枠材３３、及び下枠材３２に囲まれた空間に配されたハニカムコア３５と、前記縦枠材３１、上枠材３３、及び下枠材３２の両面に添接された面板３６とをそれぞれ具備するので、前記ベースパネル１及び前記スタックオンパネル３を好適に実現することができる。
【００４１】
さらに、前記ベースパネル１が、オプション部材を取り付けるためのオプション取付溝１４ａを有する笠木１４をそれぞれ備え、前記スタックオンパネル３が、オプション部材を取り付けるためのオプション取付溝３４ａを有する笠木３４をそれぞれ備えているので、笠木３４の溝が上下に平行に配置され、この点からも統一感のある外観を提供できる。
【００４２】
前記ベースパネル１が、縦枠材１１の上端面を覆う開閉可能なキャップ１７を備えたものであり、前記キャップ１７には、前記縦枠材１１の第２の空洞１１ｂに連通する孔が設けられているので、前記キャップ１７を閉じた状態でも該キャップ１７の孔にスタック用支柱４を挿し通して、ベースパネル１の上方にスタックオンパネル３を積み重ねることができる。その上、前記スタックオンパネル３が、縦枠材３１の上端面を覆う開閉可能なキャップ３７を備え、前記キャップ３７には、前記縦枠材３１の第２の空洞３１ｂに連通する孔が設けられているので、前記キャップ３７を閉じた状態でも該キャップ３７の孔にスタック用支柱４を挿し通して、このスタックオンパネル３の上方に他のスタックオンパネル３をさらに積み重ねることができる。
【００４３】
なお、本発明は以上に述べた実施形態に限らない。
【００４４】
例えば、オプション部材としては、スタックオンパネルの面板の前方又は後方に取り付けてなる金属板を取り付けることが考えられる。この金属板は、下端部にベースパネルのオプション取付溝と係り合うことが可能な下取付突条を有し、上端部にスタックオンパネルのオプション取付溝と係り合うことが可能な上取付突条を有する。この金属板をスタックオンパネルの面板の前方に取り付ける際には、下取付突条及び上取付突条をそれぞれオプション取付溝に係り合わせるようにしている。このようなスタックオンパネルへの金属板の取付態様を採用することにより、スタックオンパネルをスタックすることにより形成された上下の取付溝を利用して、スタックオンパネルの前方又は後方に金属板を安定して取り付けることができる。さらに、このような構成であれば、面板に強磁性体を使用しない場合であっても、金属板が鉄等の強磁性体により構成されたものであれば、金属板の表面にマグネットを接着する使用態様に対応することができる。
【００４５】
縦枠材の上端面を覆うキャップは、必ずしも開閉可能なものでなくてもよい。
【００４６】
笠木は必ずしも設けなくてもよく、上枠材にオプション部材を取り付けるためのオプション取付溝を設けてもよい。
【００４７】
芯材を省略し、左右の縦枠材の中間部間を接続する中間横架材を設けるようにしてもよく、また、上枠材及び下枠材の中間部間を接続する中間縦枠材を設けるようにしてもよい。
【００４８】
加えて、第１の空洞又は第２の空洞のいずれかの一部を閉塞可能な蓋体を縦枠材の上下両端部に設けるとともに、この蓋体に雌ネジ穴を形成するようにしてもよい。
【００４９】
その他、本発明の趣旨を損ねない範囲で種々に変形してもよい。
【符号の説明】
【００５０】
Ｐ…デスクトップパネルシステム
１…ベースパネル
１１…縦枠材
１１ａ…第１の空洞
１１ｂ…第２の空洞
２…取付用支柱（第１の支柱）
３…スタックオンパネル
３１…縦枠材
３１ａ…第１の空洞
３１ｂ…第２の空洞
４…スタック用支柱（第２の支柱）
【図１】
0005463607.tif 000002
【図２】
0005463607.tif 000003
【図３】
0005463607.tif 000004
【図４】
0005463607.tif 000005
【図５】
0005463607.tif 000006
【図６】
0005463607.tif 000007
【図７】
0005463607.tif 000008
【図８】
0005463607.tif 000009
【図９】
0005463607.tif 000010